【手続補正書】
【提出日】平成15年12月9日(2003.12.9)
【手続補正１】
【補正対象書類名】明細書
【補正対象項目名】発明の名称
【補正方法】変更
【補正の内容】
【発明の名称】画像形成装置並びに画像形成装置の制御方法


【手続補正２】
【補正対象書類名】明細書
【補正対象項目名】特許請求の範囲
【補正方法】変更
【補正の内容】
【特許請求の範囲】
【請求項１】
それぞれ画像担持体を有し、前記画像担持体上に画像を形成する複数の画像形成手段と、
前記複数の画像形成手段により記録媒体上に形成された複数のレジスト補正マークを検出するマーク検出手段と、
前記マーク検出手段の検出結果に基づいて前記複数の画像形成手段により形成された各画像間の位置ずれを補正する補正手段と、
前記複数の画像形成手段により形成されるレジスト補正マークの濃度が互いに異なる所定の濃度となるよう、前記複数の画像形成手段の画像形成動作を独立に制御する制御手段と、
を備えることを特徴とする画像形成装置。
【請求項２】
前記複数の画像形成手段は、それぞれ入力されるビデオ信号をγテーブルに従ってγ変換するγ変換手段と、前記γ変換されたビデオ信号に応じた画像を前記画像担持体上に書き込む書き込み手段とを有し、
前記制御手段は、前記複数の画像形成手段のγテーブルを独立に変更することを特徴とする請求項１記載の画像形成装置。
【請求項３】
前記制御手段は、更に通常の画像形成モードにおいては前記複数の画像形成手段のγテーブルを共通の値とすることを特徴とする請求項２記載の画像形成装置。
【請求項４】
前記複数の画像形成手段は、それぞれレーザビームを前記画像担持体上に照射して画像を書き込む書き込み手段を有し、
前記制御手段は、前記複数の画像形成手段により照射されるレーザビームの光量を独立に制御することを特徴とする請求項１記載の画像形成装置。
【請求項５】
前記制御手段は、更に前記複数の画像形成手段に対して前記レジスト補正マークに対応した同じ信号レベルのビデオ信号を出力することを特徴とする請求項４記載の画像形成装置。
【請求項６】
前記書き込み手段は、前記ビデオ信号に応じてＰＷＭ信号を生成するＰＷＭ信号生成手段を有し、前記ＰＷＭ信号に応じて前記レーザビームを発生することを特徴とする請求項２記載の画像形成装置。
【請求項７】
通常の画像形成モードと位置ずれ補正モードとを有し、前記制御手段は、更に前記通常の画像形成モードにおいては前記複数の画像形成手段により形成される画像の濃度を共通に制御することを特徴とする請求項１記載の画像形成装置。
【請求項８】
前記記録媒体は、前記複数の画像形成手段の画像担持体上に形成された画像を転写位置にて転写するよう移動する移動体を含むことを特徴とする請求項１記載の画像形成装置。
【請求項９】
前記記録媒体は、前記複数の画像形成手段の画像担持体上に形成された画像を転写位置にて転写材上に転写するよう移動する転写ベルトを含むことを特徴とする請求項１記載の画像形成装置。
【請求項１０】
前記マーク検出手段は、前記記録媒体上に赤外光を照射する照射手段と、前記記録媒体上のレジスト補正マークによる前記赤外光の反射光を検出するセンサとを有することを特徴とする請求項１記載の画像形成装置。
【請求項１１】
前記マーク検出手段は、前記記録媒体上に形成された前記レジスト補正マークを読み取る読み取り手段と、前記読み取り手段によって読み取られた各レジスト補正マークの間のずれ量を算出するずれ量算出手段と、前記ずれ量算出手段により算出されるずれ量に基づいて、前記複数の画像形成手段により形成される各画像毎の補正値を算出する補正値算出手段とを有することを特徴とする請求項１記載の画像形成装置。
【請求項１２】
前記補正手段は、前記マーク検出手段の検出結果に基づいて、前記複数の画像形成手段により形成される各画像間の位置ずれを、電気的及び／または機械的に補正することを特徴とする請求項１〜１１のいずれかに記載の画像形成装置。
【請求項１３】
前記複数の画像形成手段は、それぞれ複数の光ビームを用いて前記画像担持体上に画像を形成し、前記補正手段は、前記複数の画像形成手段の前記複数の光ビームによる画像書き出しタイミングを独立に補正することを特徴とする請求項１記載の画像形成装置。
【請求項１４】
前記補正手段は、前記複数の画像形成手段のうち、所定の画像形成手段により形成される画像に対する他の画像形成手段により形成される画像の位置ずれを補正することを特徴とする請求項１記載の画像形成装置。
【請求項１５】
前記複数の画像形成手段は、それぞれ複数の光ビームを用いて前記画像担持体上に画像を形成し、前記補正手段は、前記所定の画像形成手段の複数の光ビームのうち所定の光ビームにより形成された前記レジスト補正マークの位置と前記他の画像形成手段の複数の光ビームにより形成された複数のレジスト補正マークの位置の間のずれに基づいて前記他の画像形成手段により形成される画像の位置ずれを補正することを特徴とする請求項１４記載の画像形成装置。
【請求項１６】
前記複数の画像形成手段は、それぞれ光ビームを発生する発生手段と、前記光ビームを反射して前記画像担持体上に照射するミラー部とを有し、
前記補正手段は、前記複数の画像形成手段の前記ミラー部の位置を移動することにより傾きずれを補正することを特徴とする請求項１記載の画像形成装置。
【請求項１７】
前記複数の画像形成手段の前記発生手段は、それぞれ複数の前記光ビームを発生し、前記ミラー部は前記複数の光ビームに対して共通に設けられていることを特徴とする請求項１６記載の画像形成装置。
【請求項１８】
前記補正手段は、更に前記複数の画像形成手段における前記複数の光ビームによる画像書き込みタイミングを独立に調整することにより主走査方向の位置ずれを補正することを特徴とする請求項１７記載の画像形成装置。
【請求項１９】
それぞれ画像担持体を有し、前記画像担持体上に互いに異なる色の画像を形成する複数の画像形成手段と、
前記複数の画像形成手段により記録媒体上に形成された各色のレジスト補正マークを検出するマーク検出手段と、
前記マーク検出手段の検出結果に基づいて前記複数の画像形成手段により形成された各色の画像間の位置ずれを補正する補正手段と、
所定の色のレジスト補正マークを第１の所定の濃度で形成し、前記所定の色以外の他の複数の色のレジスト補正マークを第２の所定の濃度で形成するよう前記複数の画像形成手段の画像形成動作を独立に制御する制御手段と、
を備えることを特徴とする画像形成装置。
【請求項２０】
それぞれ画像担持体を有し、前記画像担持体上に画像を形成する複数の画像形成手段と、前記複数の画像形成手段により記録媒体上に形成された複数のレジスト補正マークを検出するマーク検出手段と、前記マーク検出手段の検出結果に基づいて前記複数の画像形成手段により形成された各画像間の位置ずれを補正する補正手段とを有する画像形成装置の制御方法であって、前記複数の画像形成手段により形成されるレジスト補正マークの濃度が互いに異なる所定の濃度となるよう、前記複数の画像形成手段の画像形成動作を独立に制御する制御ステップを備えることを特徴とする画像形成装置の制御方法。
【請求項２１】
前記複数の画像形成手段は、それぞれ入力されるビデオ信号をγテーブルに従ってγ変換するγ変換手段と、前記γ変換されたビデオ信号に応じた画像を前記画像担持体上に書き込む書き込み手段とを有し、前記制御ステップは、前記複数の画像形成手段のγテーブルを独立に変更することを特徴とする請求項２０記載の画像形成装置の制御方法。
【請求項２２】
前記制御ステップは、更に通常の画像形成モードにおいては前記複数の画像形成手段のγテーブルを共通の値とすることを特徴とする請求項２１記載の画像形成装置の制御方法。
【請求項２３】
前記複数の画像形成手段は、それぞれレーザビームを前記画像担持体上に照射して画像を書き込む書き込み手段を有し、前記制御ステップは、前記複数の画像形成手段により照射されるレーザビームの光量を独立に制御することを特徴とする請求項２０記載の画像形成装置の制御方法。
【請求項２４】
前記制御ステップは、更に前記複数の画像形成手段に対して前記レジスト補正マークに対応した同じ信号レベルのビデオ信号を出力することを特徴とする請求項２３記載の画像形成装置の制御方法。
【請求項２５】
前記書き込み手段は、前記ビデオ信号に応じてＰＷＭ信号を生成するＰＷＭ信号生成手段を有し、前記ＰＷＭ信号に応じて前記レーザビームを発生することを特徴とする請求項２１記載の画像形成装置の制御方法。
【請求項２６】
通常の画像形成モードと位置ずれ補正モードとを有し、前記制御ステップは、更に前記通常の画像形成モードにおいては前記複数の画像形成手段により形成される画像の濃度を共通に制御することを特徴とする請求項２０記載の画像形成装置の制御方法。
【請求項２７】
前記記録媒体は、前記複数の画像形成手段の画像担持体上に形成された画像を転写位置にて転写するよう移動する移動体を含むことを特徴とする請求項２０記載の画像形成装置の制御方法。
【請求項２８】
前記記録媒体は、前記複数の画像形成手段の画像担持体上に形成された画像を転写位置にて転写材上に転写するよう移動する転写ベルトを含むことを特徴とする請求項２０記載の画像形成装置の制御方法。
【請求項２９】
前記マーク検出手段は、前記記録媒体上に赤外光を照射する照射手段と、前記記録媒体上のレジスト補正マークによる前記赤外光の反射光を検出するセンサとを有することを特徴とする請求項２０記載の画像形成装置の制御方法。
【請求項３０】
前記マーク検出手段は、前記記録媒体上に形成された前記レジスト補正マークを読み取る読み取り手段と、前記読み取り手段によって読み取られた各レジスト補正マークの間のずれ量を算出するずれ量算出手段と、前記ずれ量算出手段により算出されるずれ量に基づいて、前記複数の画像形成手段により形成される各画像毎の補正値を算出する補正値算出手段とを有することを特徴とする請求項２０記載の画像形成装置の制御方法。
【請求項３１】
前記補正手段は、前記マーク検出手段の検出結果に基づいて、前記複数の画像形成手段により形成される各画像間の位置ずれを、電気的及び／または機械的に補正することを特徴とする請求項２０〜３０のいずれかに記載の画像形成装置の制御方法。
【請求項３２】
前記複数の画像形成手段は、それぞれ複数の光ビームを用いて前記画像担持体上に画像を形成し、前記補正手段は、前記複数の画像形成手段の前記複数の光ビームによる画像書き出しタイミングを独立に補正することを特徴とする請求項２０記載の画像形成装置の制御方法。
【請求項３３】
前記補正手段は、前記複数の画像形成手段のうち、所定の画像形成手段により形成される画像に対する他の画像形成手段により形成される画像の位置ずれを補正することを特徴とする請求項２０記載の画像形成装置の制御方法。
【請求項３４】
前記複数の画像形成手段は、それぞれ複数の光ビームを用いて前記画像担持体上に画像を形成し、前記補正手段は、前記所定の画像形成手段の複数の光ビームのうち所定の光ビームにより形成された前記レジスト補正マークの位置と前記他の画像形成手段の複数の光ビームにより形成された複数のレジスト補正マークの位置の間のずれに基づいて前記他の画像形成手段により形成される画像の位置ずれを補正することを特徴とする請求項２３記載の画像形成装置の制御方法。
【請求項３５】
前記複数の画像形成手段は、それぞれ光ビームを発生する発生手段と、前記光ビームを反射して前記画像担持体上に照射するミラー部とを有し、前記補正手段は、前記複数の画像形成手段の前記ミラー部の位置を移動することにより傾きずれを補正することを特徴とする請求項２０記載の画像形成装置の制御方法。
【請求項３６】
前記複数の画像形成手段の前記発生手段は、それぞれ複数の前記光ビームを発生し、前記ミラー部は、前記複数の光ビームに対して共通に設けられていることを特徴とする請求項３５記載の画像形成装置の制御方法。
【請求項３７】
前記補正手段は、更に前記複数の画像形成手段における前記複数の光ビームによる画像書き込みタイミングを独立に調整することにより主走査方向の位置ずれを補正することを特徴とする請求項３６記載の画像形成装置の制御方法。
【請求項３８】
それぞれ画像担持体を有し、前記画像担持体上に互いに異なる色の画像を形成する複数の画像形成手段と、前記複数の画像形成手段により記録媒体上に形成された各色のレジスト補正マークを検出するマーク検出手段と、前記マーク検出手段の検出結果に基づいて前記複数の画像形成手段により形成された各色の画像間の位置ずれを補正する補正手段とを有する画像形成装置の制御方法であって、
所定の色のレジスト補正マークを第１の所定の濃度で形成し、前記所定の色以外の他の複数の色のレジスト補正マークを第２の所定の濃度で形成するよう前記複数の画像形成手段の画像形成動作を独立に制御する制御ステップを備えることを特徴とする画像形成装置の制御方法。
【手続補正３】
【補正対象書類名】明細書
【補正対象項目名】０００１
【補正方法】変更
【補正の内容】
【０００１】
【発明の属する技術分野】
本発明は、本発明は、複数の画像形成手段により形成される画像間の位置ずれを補正可能な画像形成装置並びに、画像形成装置の制御方法に関するものである。


【手続補正４】
【補正対象書類名】明細書
【補正対象項目名】０００７
【補正方法】変更
【補正の内容】
【０００７】
本発明は、上記の問題点を解決するためになされたもので、本発明の目的は、各色毎にレジスト補正パターン形成時の画像形成条件を制御することで、レジスト補正パターン画像の濃度を各画像形成手段毎、あるいは各画像形成手段の色毎に変更して各色の画像による反射光量を一定にすることにより、記録媒体に形成される色別のレジスト補正パターンの読み取り精度を向上させ、精度よく位置ずれの補正を行うことが可能となる画像形成装置並びに画像形成装置の制御方法を提供することである。


【手続補正５】
【補正対象書類名】明細書
【補正対象項目名】００４６
【補正方法】削除
【補正の内容】
【手続補正６】
【補正対象書類名】明細書
【補正対象項目名】００４７
【補正方法】削除
【補正の内容】